(57)【特許請求の範囲】
【請求項１】
供給チューブの一端に連結されたコネクタと、洗浄時に上記コネクタが接続されるとともに内部に洗浄液が供給される洗浄ポートとを備え、洗浄時に上記洗浄ポートに上記コネクタを接続した状態において洗浄ポート内に洗浄液を供給することにより、洗浄ポート内を経由して上記コネクタ及び供給チューブに洗浄液を流通させて、該コネクタと供給チューブを洗浄するようにした洗浄システムにおいて、
上記コネクタは、上記供給チューブの一端が接続されるともに洗浄時に上記洗浄ポート内と連通する内筒と、上記内筒を取り囲むとともに洗浄時に上記洗浄ポートと連通可能な内周面にめねじが形成された外筒と、上記内筒の外周面と上記外筒のめねじとの間に形成される隙間とを備えており、また、上記外筒に上記隙間と外筒の外部とを連通させる洗浄用の貫通孔を設けて、
洗浄時においては、上記洗浄ポートに供給された洗浄液を上記隙間及び貫通孔に流通させて、内筒の外周面と上記外筒のめねじとの間を洗浄することを特徴とする洗浄システム。
【請求項２】
上記外筒は、洗浄ポート内に面する側に環状凹部を備えており、この環状凹部に上記めねじが形成されるとともに、環状凹部におけるめねじが形成されない箇所に上記貫通孔が複数設けられていることを特徴とする請求項１に記載の洗浄システム。
【請求項３】
上記洗浄ポートには、内方側の開口部が上記洗浄用の貫通孔と重合する排液ポートが形成されており、上記隙間と貫通孔を流通してきた洗浄液の一部を上記排液ポートから洗浄ポートの外部に排出することを特徴とする請求項２に記載の洗浄システム。
【請求項４】
上記供給チューブは、その他端が透析装置の透析液回路に接続されており、透析液原液容器のチューブの先端のネジ部が上記コネクタのめねじに螺合されることで、供給チューブを介して上記透析液回路に透析液原液を供給するようになっており、上記透析掖回路を洗浄する際には該透析液回路に供給された洗浄液が洗浄通路を介して上記洗浄ポートに供給されることを特徴とする請求項１ないし請求項３のいずれかに記載の洗浄システム。
【発明の詳細な説明】
【技術分野】
【０００１】
本発明は洗浄システムに関し、例えば、透析装置に透析液原液を供給する際の接続箇所を洗浄するのに好適な洗浄システムに関する。
【背景技術】
【０００２】
従来、透析装置においては、透析液回路に供給チューブを備えており、この供給チューブを介して透析液回路に２種類の透析液原液を供給し、それらを混合して透析液を作成するようにしている。そして、従来では、供給チューブを介して透析液回路に透析液原液を供給するために、透析液原液を貯溜したソフトバッグとタンクを用いる方式が知られている（例えば特許文献１）。特許文献１の透析装置においては、供給チューブの端部にオスルアーコネクタを設ける一方、ソフトバッグ側のチューブにメスルアーコネクタを設けることにより、それら両コネクタを所要時に接続するようになっている。
また、従来、一方と他方の流体通路の端部を接続するためのオスルアーコネクタとメスルアーコネクタの構成は例えば特許文献２により公知である。
ところで、透析装置の供給チューブは繰り返し使用されるので、洗浄する必要がある。そして、従来、タンク内に貯溜した透析液原液を供給チューブで吸い上げる方式の透析装置であって、透析装置の本体部に設けた洗浄チャンバによって供給チューブを洗浄するようにした構成が提案されている（例えば特許文献３）。
【先行技術文献】
【特許文献】
【０００３】
【特許文献１】特表平８−５００５１１号公報
【特許文献２】実用新案登録第３１２５０１６号公報
【特許文献３】特許第３９４７０３７号公報
【発明の概要】
【発明が解決しようとする課題】
【０００４】
ところで、上記特許文献３のように洗浄チャンバを備えた透析装置において、透析装置の供給チューブの端部と透析液原液の容器とを着脱自在に接続するために、オスルアーコネクタとメスルアーコネクタを用いることが考えられる。しかしながら、この場合にはオスルアーコネクタの構成が原因となってオスルアーコネクタの洗浄が不十分になるという問題が生じる。より詳細には、オスルアーコネクタは内筒と外筒とを備えており、内筒の外周面とそれに対向する外筒の内周面のめねじとの間に洗浄液が流通しづらいために、内筒と外筒との間の洗浄が不十分になるという問題が生じる。
【課題を解決するための手段】
【０００５】
上述した事情に鑑み、本発明は、供給チューブの一端に連結されたコネクタと、洗浄時に上記コネクタが接続されるとともに内部に洗浄液が供給される洗浄ポートとを備え、洗浄時に上記洗浄ポートに上記コネクタを接続した状態において洗浄ポート内に洗浄液を供給することにより、洗浄ポート内を経由して上記コネクタ及び供給チューブに洗浄液を流通させて、該コネクタと供給チューブを洗浄するようにした洗浄システムにおいて、
上記コネクタは、上記供給チューブの一端が接続されるともに洗浄時に上記洗浄ポート内と連通する内筒と、上記内筒を取り囲むとともに洗浄時に上記洗浄ポートと連通可能な内周面にめねじが形成された外筒と、上記内筒の外周面と上記外筒のめねじとの間に形成される隙間とを備えており、また、上記外筒に上記隙間と外筒の外部とを連通させる洗浄用の貫通孔を設けて、
洗浄時においては、上記洗浄ポートに供給された洗浄液を上記隙間及び貫通孔に流通させて、内筒の外周面と上記外筒のめねじとの間を洗浄することを特徴とするものである。
【発明の効果】
【０００６】
このような構成によれば、上記外筒には洗浄用の貫通孔が設けられているので、洗浄時に内筒と外筒との間に洗浄液が流通させて内筒と外筒の間を洗浄液によって確実に洗浄することができる。そのため、洗浄ポートを備えた透析装置において、供給チューブの先端にオスルアーコネクタを使用した場合においても、該オスルアーコネクタにおける外筒の内面のめねじを十分に洗浄することができる。したがって、着脱が容易であって、かつ洗浄しやすい洗浄システムを提供することができる。
【図面の簡単な説明】
【０００７】
【図１】本発明の一実施例を示す正面図。
【図２】図１の要部の回路構成を示す図。
【図３】図１の要部の正面図であり、図３（ａ）は蓋１１Ｂを開放した状態を示し、図３（ｂ）は蓋１１Ｂを閉じた状態を示している。
【図４】図１の要部の縦断面図。
【図５】図４の要部の斜視断面図。
【図６】図１の要部の斜視図。
【図７】図５の要部の拡大図。
【発明を実施するための形態】
【０００８】
以下、図示実施例について本発明を説明すると、図１ないし図２において、患者に透析治療を施す透析装置１は、内部に透析液回路２等の構成部材を収容するとともに血液回路３が設けられた本体部４と、透析治療時に本体部４のホルダ４Ａに保持される透析器５とを備えている。
また、透析装置１は、一端７Ａが透析液回路２の給液通路２Ａに接続されるとともに他端７Ｂにオスルアーコネクタ６が取り付けられた第１供給チューブ７と、一端８Ａが上記給液通路２Ａに接続されるとともに他端８Ｂにコネクタ６’が接続された第２供給チューブ８と、本体部２の正面に並列に設けられて洗浄時に上記オスルアーコネクタ６が接続される第１洗浄ポート１１及び上記コネクタ６’が接続される第２洗浄ポート１２を備えている。
【０００９】
透析液回路２、血液回路３及び透析器５の構成は、例えば特開２０１２−１９１９９２号公報等により公知であり、ここでの詳細な説明は省略する。
第１供給チューブ７は、透析液原液であるＡ液を透析液回路２に供給する供給通路となり、この第１供給チューブ７の途中にポンプＰ１が設けられている。他方、第２供給チューブ８は、透析液原液であるＢ液を透析液回路２に供給する供給通路となっており、第２供給チューブ８の途中にポンプＰ２が設けられている。
透析装置１によって患者に透析治療を施す際には、事前に透析器５がホルダ４Ａに取り付けられるとともに、透析器５に透析液回路２の透析液供給通路２Ｂの端部と透析液回収通路２Ｃの端部が接続される。また、血液回路３の動脈側通路３Ａの一端と静脈側通路３Ｂの一端が透析器５に接続されている。
また、図１に示すように、第１供給チューブ７のオスルアーコネクタ６と透析原液（Ａ原液）を収容したソフトバッグ１３のチューブ１３Ａの先端のネジ部が接続されるとともに、第２供給チューブ８のコネクタ６’が透析原液（Ｂ原液）を収容したタンク１４に接続され、コネクタ６’のノズル６Ａ’がＢ原液内に挿入されている。そして、透析液回路２の図示しないポンプ等が作動されて給液通路２Ａ内に水が流通している状態において、両ポンプＰ１、Ｐ２が作動されることにより、ソフトバッグ１３内のＡ原液が第１供給チューブ７を介して給液通路２Ａ内に供給されるとともに、タンク１４内のＢ原液が第２供給チューブ８を介して給液通路２Ａ内に供給される。給液通路２Ａ内に供給されたＡ原液とＢ原液は、その後、透析液回路２内で混合されて透析液が作成されるようになっている。
そして、透析液回路２内で作成された透析液は、透析液供給通路２Ｂから透析器５に供給された後に、透析液回収通路２Ｃを介して回収されるようになっており、それに伴って透析器５に接続された血液回路３内の血液が透析液によって浄化されるようになっている。このようにして透析装置１によって患者に透析治療が施されるようになっている。
【００１０】
上述したようにして透析装置１によって患者に透析治療が施すが、透析装置１は繰り返し使用されるので、各透析治療開始前に透析液回路２を洗浄する必要があり、透析液回路２の洗浄の際には上記第１供給チューブ７と第２供給チューブ８及びそれらに設けたオスルアーコネクタ６とコネクタ６’も洗浄する必要がある。
そこで、本実施例の透析装置１は、両供給チューブ７、８とオスルアーコネクタ６、コネクタ６’を洗浄するために、本体部４の正面に第１洗浄ポート１１と第２洗浄ポート１２を設けている。そして、図２に示すように、透析液回路２の洗浄時においては、第１供給チューブ７のオスルアーコネクタ６を第１洗浄ポート１１に接続し、第２供給チューブ８のコネクタ６’を第２洗浄ポート１２に接続するようになっている。
本実施例においては、両供給チューブ７、８とオスルアーコネクタ６、コネクタ６’を洗浄するために、第１洗浄通路１７と第２洗浄通路１８を設けている。第１洗浄通路１７の一端１７Ａは、上記透析液回路２の給液通路２Ａに接続させている。第１洗浄通路１７の他端は２つに分岐させてあり、該分岐させた一方の端部１７Ｂを第１洗浄ポート１１に接続させてあり、分岐させた他方の端部１７Ｃを第２洗浄ポート１２に接続させている。第１洗浄通路１７の途中には常閉の電磁開閉弁Ｖ４を設けてあり、この電磁開閉弁Ｖ４は洗浄時に開放されるようになっている。
第２洗浄通路１８の一端１８Ａは、透析液回路２の図示しない排液通路に接続されている。第２洗浄通路１８の他端は２つに分岐させてあり、分岐させた一方の端部１８Ｂを第１洗浄ポート１１の開口部付近に接続してあり、分岐させた他方の端部１８Ｃを第２洗浄ポート１２の開口部付近に接続させている。また、第２洗浄通路１８の途中には常閉の電磁開閉弁Ｖ１を設けてあり、分岐箇所と一端１８Ｂとの間及び分岐箇所と他端１８Ｃとの間にそれぞれ常閉の電磁開閉弁Ｖ２、Ｖ３を設けている。
【００１１】
そして、透析液回路２を洗浄する際には、図２に点線で示すように、透析液供給通路２Ｂの端部と透析液回収通路２Ｃは透析器５から取り外されるとともに、それらがコネクタ２１を介して相互に接続されている。また、第１供給チューブ７のオスルアーコネクタ６が第１洗浄ポート１１に接続されるとともに、第２供給チューブ８のコネクタ６’が第２洗浄ポート１２に接続されている。
透析液回路２の洗浄時には透析液通路２内に洗浄液が流通するとともに電磁開閉弁Ｖ４が開放されるので、透析液通路２の給液回路２Ａに連通する第１洗浄通路１７を介して両洗浄ポート１１、１２に洗浄液が供給されるようになっている。両洗浄ポート１１，１２に供給された洗浄液は、オスルアーコネクタ６と第１供給チューブ７を流通して給液通路２Ａに還流するとともに、コネクタ６’と第２供給チューブ８を流通して給液通路２Ａに還流する。また、ポンプＰ１、Ｐ２を停止して両供給チューブ７、８を止めつつ、第２洗浄通路１８の電磁開閉弁Ｖ１〜Ｖ３が適宜のタイミングで開放されることにより、オスルアーコネクタ６、コネクタ６’内を流通した洗浄液を第２洗浄通路１８経由で排出させることができる。これにより、両供給チューブ７、８及びオスルアーコネクタ６、６’を洗浄できるようになっている。
【００１２】
しかして、本実施例は、第１供給チューブ７のコネクタとしてオスルアーコネクタ６を採用するとともに、第１洗浄ポート１１にオスルアーコネクタ６の受入部２６を設けたことで、洗浄時の着脱作業を容易にするとともにオスルアーコネクタ６自体を十分に洗浄できるようにしたものである。
図３ないし図７に示すように、本体部４の正面の高さ方向の中央部には、開口部１１Ａを正面に位置させて段付筒状の第１洗浄ポート１１が形成されており、第１洗浄ポート１１の最も奥となる端部は、カップリング２２を介して上記第１洗浄通路１７の端部１７Ｂが接続されている。第１洗浄ポート１１の開口部１１Ａは、開閉可能な蓋１１Ｂによって開閉されるようになっており、洗浄時以外では開口部１１Ａは蓋１１Ｂによって閉鎖されている。
開口部１１Ａの隣接内方位置には、円周方向の２箇所に方形孔が連設された係合孔１１Ｃが形成されており、係合孔１１Ｃの隣接内方位置は大径部１１Ｄとなっている。また、大径部１１Ｄの隣接内方位置に中径部１１Ｅが形成されており、その隣接内方位置には奥側が徐々に小径となるテーパ部１１Ｆが形成されている。このテーパ部１１Ｆの隣接内方位置に小径部１１Ｇが形成されている。
大径部１１Ｄの内方側の端面には、弾性を有する環状のカラー２３Ａが固着されており、中径部１１Ｅの内周面には弾性を有する円筒状のパッキン２３Ｂが固定されている。図４に示すように、オスルアーコネクタ６が洗浄ポート１１に嵌合された際には、上記カラー２３Ａとパッキン２３Ｂによる弾発力によってオスルアーコネクタ６は第１洗浄ポート１１（大径部１１Ｄ、中径部１１Ｅ）との間の液密を保持して強固に保持されるようになっている。
大径部１１Ｄの外周部に磁力を検出する近接スイッチ２４を設けてあり、図４に示すように、オスルアーコネクタ６が第１洗浄ポート１１に確実に嵌合された際に、オスルアーコネクタ６側のマグネット２５の磁力を検出するようになっている。近接スイッチ２４がマグネット２５の磁力を検出することで、オスルアーコネクタ６が第１洗浄ポート１１に嵌合され、両者が正しく接続されたことを確認できるようになっている。
本実施例では、第１洗浄ポート１１における係合孔１１Ｃ、大径部１１Ｄ、中径部１１Ｅ及びカラー２３Ａとパッキン２３Ｂによりオスルアーコネクタの受入部受入部２６が構成されている。また、テーパ部１１Ｆ及び小径部１１Ｇの内部空間が洗浄チャンバ２７となっている。さらに、洗浄チャンバ２７を構成するテーパ部１１Ｆの外周面に排液ポート１１Ｈが突設されており、この排液ポート１１Ｈに上記第２洗浄液通路１８の端部１８Ｂが接続されている。
【００１３】
次に、第１供給チューブ７の他端７Ｂに取り付けたオスルアーコネクタ６について説明する。オスルアーコネクタ６は、最も軸心側に位置する内筒３１と、内筒３１の軸方向の一端側（先端側）の外周部に内筒３１と一体に形成された外筒３２と、内筒３１及び外筒３２の一部の外周面を覆って設けられた段付筒状のロック部材３３を備えている。
ロック部材３３は、軸方向の略中央部に形成された大径フランジ部３３Ａと、この大径フランジ部３３Ａよりも先端側（図面上の右方側）に位置する小径部３３Ｂと、この小径部３３Ｂの軸方向中央に形成された小径フランジ部３３Ｃと、上記大径フランジ部３３Ａから連続して内部が中空となった把持部３３Ｄとを備えている。
内筒３１は細長い円筒状に形成されている。
一方、外筒３２は、内筒３１を取り囲んで該内筒３１と一体に形成されており、外筒３２の軸方向長さは、内筒３１の軸方向長さの半分以下となっている。外筒の先端側（右方側）の内周面は、他端側よりも内径を大きくして環状凹部３２Ａとなっている。この環状凹部３２Ａの内周面の略全域にめねじ３２Ｂが形成されている。
他方、ロック部材３３における小径部３３Ｂの先端側の内周面は環状凹部３３Ｅとなっており、そこに上記外筒３２の外周面の略半分が嵌合されると同時に内筒３１の左方側の領域をロック部材３３の小径部３３Ｂに貫通させて把持部３３Ｄの内部空間に位置させている。把持部３３Ｄ内の内筒３１の外周部にストッパ３５が係止されているので、内筒３１、外筒３２はロック部材３３に対して軸方向に移動できないようになっている。また、外筒３２における外周部には環状シール部材３６が装着されており、このシール部材３６によって外筒３２の外周面とロック部材３３の環状凹部３３Ｅの内周面との液密が保持されている。
【００１４】
外筒３２は、軸方向の中央部よりも先端側（右方側）の外周面をロック部材３３よりも外方に露出させた状態となっており、また、外筒３２の内方側の内筒３１の先端部も外筒３２と同じくロック部材３３よりも外方に突出した状態となっている。他方、把持部３３Ｄ内に位置した内筒３１の端部に上記第１供給チューブ７の端部７Ｂが接続されている。
外筒３２の環状凹部３２Ａ及びめねじ３２Ｂとそれらに対向する内筒３１の外周面との間に円筒状の隙間３２Ｃが形成されている。上記ソフトバッグ１３のチューブ１３Ａの先端に形成されたネジ部を外筒３２のめねじ３２Ｂに螺合させることで、オスルアーコネクタ６とソフトバッグ１３のチューブ１３Ａとを接続できるようになっている。
【００１５】
さらに、本実施例の外筒３２には、上記隙間３２Ｃと連通するようにめねじ３２Ｂが途切れた隣接位置に複数の半径方向の貫通孔３２Ｄが穿設されている。この洗浄用の貫通孔３２Ｄは、円周方向の等間隔位置に４箇所形成されている。前述したように、外筒３２のめねじ３２Ｂ、環状凹部３２Ａに対向する内筒３１の外周面との間には隙間３２Ｃが維持されているが、本実施例においては、該隙間３２Ｃと連通させて洗浄用の貫通孔３２Ｄが外筒３２に形成されている。これら複数の洗浄用の貫通孔３２Ｄが形成されているので、本実施例においては、上記隙間３２Ｃ内に洗浄液が流通することが可能となっており、それにより、チューブ１３Ａの先端のネジ部が繰り返し着脱されるめねじ３２Ｂとそれに対向する内筒３１の外面を洗浄できるようになっている。
【００１６】
一方、ロック部材３３の小径フランジ３３Ｃの円周方向の２箇所は立体形状として張り出させた張り出し部３３Ｆとなっており、それにより小径フランジ部３３Ｃの輪郭は図３に示した係合孔１１Ｃに合わせた形状となっている。また、小径フランジ部３３Ｃにおける一方の張り出し部３３Ｆの内部に上記マグネット２５を収容している。さらに、ロック部材３３の先端の内周縁、つまり小径部３３Ｂの内周縁は、開口側（端部）側が徐々に大径となるテーパ面３３Ｇとなっている。このテーパ面３３Ｇは、上記複数の洗浄用の貫通孔３２Ｂを半径方向外方から覆った状態となっている。このテーパ面３３Ｇが存在することで、貫通孔３２Ｄを流通して流出してきた洗浄液を排出ポート１１Ｈに案内しやすくなっている。
【００１７】
以上のように構成されたオスルアーコネクタ６を洗浄作業開始前に次のようにして第１洗浄ポートに接続する。すなわち、図３（ａ）に示すように、第１洗浄ポート１１の蓋１１Ｂを開けてから第１供給チューブ７のオスルアーコネクタ６を鉛直方向に対して反時計方向に４５°傾けた状態で挿入して小径フランジ部３３Ｃ、張り出し部３３Ｆを係合孔１１Ｃに挿通させ、その後、オスコネクタ６全体を時計方向に４５°回転させる。これにより、図４ないし図７に示すように、小径フランジ部３３Ｃがカラー２３Ａに当接して、張り出し部３３Ｆが大径部１１Ｄの左方側の端面に当接する。また、小径部３３Ｂの外周面が円筒状のパッキン２３Ｂに密着して、その部分の液密が保持される。このようにして、第１洗浄ポート１１にオスルアーコネクタ６を接続する。そして、両者が確実に接続されたことは、近接スイッチ２４がマグネット２５の磁力を検出することで確認することができる。
こうして第１洗浄ポート１１にオスルアーコネクタ６を接続された状態では、オスルアーコネクタ６側の外筒３２、内筒３１及びロック部材３３の小径部３３Ｂの先端が洗浄チャンバ２７内に位置しており、めねじ３２Ｂの箇所の隙間３２Ｃも洗浄チャンバ２７と連通している。また、４箇所の洗浄用の貫通孔３２Ｄ及びテーパ面３３Ｇは、排出ポート１１Ｈの内方側の開口と重合する位置に位置している。
なお、本実施例における第２供給チューブ８のコネクタ６’の構成は、上記オスルアーコネクタ６と同様に構成されており、第２洗浄ポート１２の構成も上記第１洗浄ポート１１と同様に構成されている。つまり、第２洗浄ポート１２には、コネクタ６’を嵌合可能な筒状の空間部が形成されており、その空間部内が洗浄チャンバとなっている。そして、その洗浄チャンバの末端に上記第１洗浄通路１７の端部１７Ｃが接続されている（図２参照）。また、第２洗浄ポート１２の開口部付近には、上記第１洗浄ポート１１の排出ポート１１Ｈと同様の排出ポートが形成されており、該排出ポートに第２洗浄通路１８の端部１８Ｃが接続されている（図２参照）。そして、洗浄作業開始前に第２洗浄ポート１２に第２供給チューブ８のコネクタ６’も接続されるようになっている。
【００１８】
以上のようにして第１供給チューブ７側のオスルアーコネクタ６が第１洗浄ポート１１に接続されるとともに、第２供給チューブ８側のコネクタ６’が接続された状態において、透析液回路２の洗浄が開始されると第１洗浄通路１７の電磁開閉弁Ｖ４が開放される。これにより、第１洗浄通路１７を介して両洗浄ポート１１，１２に洗浄液が供給されるので、両供給チューブ７、８の洗浄が行われる。
より詳細には、両供給チューブ７，８及びオスルアーコネクタ６、及びコネクタ６’の洗浄は次のような順序で行われる。洗浄開始時においては、第２洗浄通路１８の各電磁開閉弁Ｖ１〜Ｖ３は閉鎖されているので、図４に示すように、第１洗浄ポート１１の洗浄チャンバ２７内に供給された洗浄液は、内筒３１の内部を流通し、その後、第１供給チューブ７内を流通してから透析液回路２に戻される。このようにして、先ず内筒３１、第１供給チューブ７の内部が洗浄液によって洗浄される。第２洗浄ポート１２に接続されたコネクタ６’及び第２供給チューブ８も同様にして洗浄液により洗浄される。
そして、洗浄開始から所要時間が経過すると、ポンプＰ１、Ｐ２を停止し第２洗浄通路１８の電磁開閉弁Ｖ１〜Ｖ３が所定時間開放される。そのため、図２に示すように、第１洗浄ポート１１の洗浄チャンバ２７内に供給された洗浄液は、内筒３１とめねじ３２Ｂとの隙間３２Ｃとそれに連通する洗浄用の貫通孔３２Ｄを流通し、さらにテーパ部３３Ｇによって案内されてから排出ポート１１Ｈを経て、第２洗浄通路１８を介して排出される。このように、隙間３２Ｃ内を洗浄液が流通することで、めねじ３２Ｂ及びそれに対向する内筒３１の外周面を洗浄液によって確実に洗浄することができる。これは、第２洗浄ポート１２側のコネクタ６’についても同様である。以上のようにして透析回路２及び上記両供給チューブ７，８の洗浄作業が終了したら、各電磁開閉弁Ｖ１〜Ｖ４が閉鎖される。
なお、洗浄作業が終了して第１洗浄ポート１１からオスルアーコネクタ６を取り外す際には、上述した取り付け時とは逆の作動となる。また、第２洗浄ポート１２からコネクタ６’を取り外す場合も同様である。
【００１９】
以上のように、本実施例においては、第１供給チューブ７のコネクタとしてオスルアーコネクタ６を採用しており、他方、第１洗浄ポート１１は、オスルアーコネクタが着脱される受入部２６となっている。そのため、洗浄作業に伴うオスルアーコネクタ６と受入部２６の着脱作業が容易である。
また、本実施例においては、オスルアーコネクタ６の外筒３２に洗浄用の貫通孔３２Ｄが複数設けられているので、外筒３２のめねじ３２Ｂ及びそれに対向する内筒３１の外周部を洗浄液によって確実に洗浄することができる。したがって、本実施例によれば、着脱が容易であって、かつ洗浄しやすい洗浄システムを提供することができる。
【００２０】
なお、上記実施例においては、図２に示すように、第１洗浄通路１７の端部１７Ｂを第１洗浄ポート１１に接続しているが、第１洗浄ポート１１に第１洗浄通路１７の端部１７Ｂを接続しなくても良い。この場合には、洗浄時において、第２洗浄通路１８の電磁開閉弁Ｖ１、Ｖ２を開放させることで、透析液回路２から第１供給チューブ７内とオスルアーコネクタ６内を洗浄液が流通した後、第２洗浄液通路１８を介して外部へ排出される。これにより、そのため、第１供給チューブ７とオスルアーコネクタ６を確実に洗浄することができる。
また、上記実施例は本発明を透析装置１の洗浄システムに適用しているが、透析装置以外の装置における一方と他方の流体通路の接続箇所にも本発明を適用することができる。
【符号の説明】
【００２１】
１‥透析装置                      ２‥透析液回路
３‥血液回路                      ６‥オスルアーコネクタ
７‥第１供給チューブ              １１‥第１洗浄ポート
１３‥ソフトバッグ                １７‥第１洗浄通路
２７‥洗浄チャンバ                ３１‥内筒
３２‥外筒                        ３２Ａ‥環状凹部
３２Ｂ‥めねじ                    ３２Ｃ‥隙間
３２Ｄ‥貫通孔
【図１】
0006531982.tif 000002
【図２】
0006531982.tif 000003
【図３】
0006531982.tif 000004
【図４】
0006531982.tif 000005
【図５】
0006531982.tif 000006
【図６】
0006531982.tif 000007
【図７】
0006531982.tif 000008